(57)【要約】      （修正有）【課題】ボールをより確実に保持することが可能で、不意にボールが脱落してしまうことがなく、かつ耐久性に優れ、また、片手でボールを取り出すことが可能なゴルフボールホルダーを提供する。【解決手段】一対のボール収容部１と、ボール収容部１から外方に突出した係止片２とを有し、ボール収容部１と係止片２との間にゴルフボールを挟持することが可能なゴルフボールホルダーであって、ボール収容部１及び／又は係止片２に、ゴルフボールのディンプルに組み合う小突起３が設けられている。【選択図】図１
2015009043.tif 000002
【特許請求の範囲】
【請求項１】
ボール収容部と、当該ボール収容部から外方に突出した係止片とを有し、
前記ボール収容部と前記係止片との間にゴルフボールを挟持することが可能なゴルフボールホルダーであって、
前記ボール収容部及び／又は前記係止片に、ゴルフボールのディンプルに組み合う小突起が設けられていることを特徴とする、ゴルフボールホルダー。
【請求項２】
前記小突起が前記ボール収容部と前記係止片に各１箇所ずつ設けられており、ボール収容部の小突起と係止片の小突起とが、ボールの直径方向に互いに対向する位置に設けられていることを特徴とする、請求項１に記載のゴルフボールホルダー。
【請求項３】
前記ボール収容部が、球面を切り欠いた開口が設けられた半カップ状であることを特徴とする、請求項１又は２に記載のゴルフボールホルダー。
【請求項４】
前記ボール収容部と前記係止片とが一体成型されていることを特徴とする、請求項１〜３のいずれかに記載のゴルフボールホルダー。
【請求項５】
樹脂製又は木製である、請求項１〜４のいずれかに記載のゴルフボールホルダー。
【請求項６】
請求項１〜５のいずれかに記載のゴルフボールホルダーが２つ連続して、互いに逆向きに設けられていることを特徴とする、ボールを２個収容することが可能なゴルフボールホルダー。
【発明の詳細な説明】
【技術分野】
【０００１】
本発明は、ゴルフボールを収容し、携帯できるゴルフボールホルダーに関する。
【背景技術】
【０００２】
ゴルフのプレー中にボールを携帯しておくためのボールホルダーとして、様々な形態が知られている。最も単純なものとして、ファスナーや蓋の付いた小袋の中にボールを収容するものがあるが、開閉が面倒なことや取り出す時にボールを落としてしまうことなどがあり、使い勝手は必ずしも満足できるものではなかった。
【０００３】
ファスナーや蓋の無いボールホルダーとしては、例えば特許文献１（特開平５−３２９２３９号）がある。特許文献１のボールホルダーは箱状のボール収納室を有し、ボール収納室の一方の壁面には放射状の切り込みが設けられた可撓性部材からなるボール出し入れ口が設けられており、対向する壁面にはボールを指で押し出すための小穴が設けられている。
特許文献１のボールホルダーによれば、手でボールを押し入れる、指でボールを押し出すという動作でボールの出し入れができる。しかしながら、収納されたボールは収納室内で固定保持されていないので、収納室内でごろごろする、外部から衝撃を受けてボールが外に飛び出てしまう等の課題もあった。
【０００４】
また特許文献２（登録実用新案３００７５９８号）には、ゴルフボールの一部が外面に露出した形態で保持するための凹部が形成されたゴルフボールホルダーが記載されている。凹部の開口端には、ゴルフボールの抜け止めのために弾性爪部が設けられ、底面にはボールを指で押し出すための穴が設けられている。
特許文献２のホルダーはゴルフボールの大きさに合わせた凹部が形成されているため、保持されたボールがごろごろするという問題はないが、ホルダーの凹部形状と開口端の弾性爪部のみでボールを保持しているため、保持力が十分ではなく、意図しない時にボールが飛び出てしまう、使用するうちに材質自体が劣化し保持力が低下するという課題もあった。
【０００５】
特許文献３（登録実用新案３０６７５５９号）には、ゴルフボールを収容するカップの底部中央には一つの開口が設けられ、カップの側壁には逆Ｕ字形で上部がカップの内側に向けて突出した弾性係止片が設けられて、ゴルフボールを係止可能であるゴルフボールホルダーが記載されている。このゴルフボールホルダーも特許文献２と同じく、弾性係止片でボールを保持して脱落を防止するものである。
特許文献３のゴルフボールホルダーは、ゴルフボールの全体がカップの中に収容されるため、ボールの一部が露出する形態である先行文献２のホルダーよりもボールの脱落は少なくなる。しかしながらやはり、ボールは逆Ｕ字形の爪で抑えられているのみであって、思わぬ衝撃がかかった場合等にボールが飛び出てしまうということがあった。
【０００６】
また、特許文献１〜３のボールホルダーはいずれも、底部の穴から一方の手（例えば右手）の指を入れてボールを押出し、反対の手（例えば左手）で押し出されたボールを受けることを想定した形状であり、片手でボールの出し入れを行うことは困難であった。しかしながら実際にゴルフのプレー中にホルダーから予備ボールを取り出す場面では、片手がクラブで塞がっていることが多い。このため、片手でボールを落とさず確実に取り出せるボールホルダーが望まれていた。
【先行技術文献】
【特許文献】
【０００７】
【特許文献１】特開平５−３２９２３９号公報
【特許文献２】登録実用新案３００７５９８号公報
【特許文献３】登録実用新案３０６７５５９号公報
【発明の概要】
【発明が解決しようとする課題】
【０００８】
したがって本発明は、ボールをより確実に保持することが可能で、不意にボールが脱落してしまうことがなく、かつ耐久性に優れたゴルフボールホルダーを提供すること、また、片手でボールを取り出すことが可能なゴルフボールホルダーを提供することを課題とする。
【課題を解決するための手段】
【０００９】
本発明者らはこれらの課題について検討を重ねる中で、ゴルフボール表面の凹凸（ディンプル）に着目し、ディンプルを利用してボールを保持することに着想した。そして、ホルダーのカップ内面と弾性爪部に、ディンプルに組み合う小さな突起を設けることで、ボールの保持力が飛躍的に向上することを見出した。さらにこの突起による確実な支持構造によれば、開口部を広くすることが可能となるためボールの出し入れがより簡単になり、ボールの取り出しが片手でも簡単・確実に行えることを見出し、本発明を完成した。
【００１０】
すなわち本発明は、ボール収容部と、当該ボール収容部から外方に突出した係止片とを有し、前記ボール収容部と前記係止片との間にゴルフボールを挟持することが可能なゴルフボールホルダーであって、前記ボール収容部及び／又は前記係止片に、ゴルフボールのディンプルに組み合う小突起が設けられていることを特徴とするゴルフボールホルダーに関する。
【００１１】
本発明のゴルフボールホルダーはボール収容部と係止片の間にボールを挟むように保持するものである。ボール収容部や係止片の内側には小突起が設けられており、ボールを収容すると小突起がゴルフボール表面のディンプルと緩く組み合う。この小突起によって、ゴルフボールが確実に保持されるので、例えばボールを収容したままホルダー全体を落とした場合や、ホルダー全体に強い衝撃がかかった場合であっても、ホルダーからボールが脱落しない。従来のゴルフボールホルダーはいずれも、ボールを箱や袋に収容するか、もしくはボール全体（又は部分）を弾性部材で保持し出し入れ可能な構造としたもので、表面にディンプルを有するというゴルフボールの特徴に注目し、ディンプルを利用して確実にホールドするものは存在しなかった。
【００１２】
また本発明は、前記小突起が前記ボール収容部と前記係止片に各１箇所ずつ設けられており、ボール収容部の小突起と係止片の小突起とが、ボールの直径方向に互いに対向する位置に設けられていることを特徴とする、前記のゴルフボールホルダーに関する。
ゴルフボールの直径方向に互いに対向する位置に小突起を配置すると、より確実にゴルフボールを保持することが可能となる。
【００１３】
また本発明は、ボール収容部が、球面を切り欠いた開口が設けられた半カップ状であることも好ましい。
ボール収容部を半カップ状（半球状）とすることによって、ボールを押し入れたときに、ボールがぴったり収まる。また、カップの球面を切り欠いた開口を設けることで、開口から露出したボールに指を当てて、ボールを押し出すことができる。本発明のゴルフボールホルダーは、小突起によってゴルフボールが確実に保持されるので、カップに大きな開口を形成することができる。ボールを出したいときには、収容されたゴルフボールとホルダーを片手で握って開口部からボールを押すと、そのまま同じ手で押し出されたボールを受けることができるため、片手のみでボールを押し出すことが可能である。逆の動作をすれば、片手のみでボールを押し入れることができる。
【００１４】
また本発明のゴルフボールホルダーは、前記ボール収容部と前記係止片とが一体成型されていることが好ましい。一体成型であることで、強度が高く耐久性に優れたゴルフボールホルダーとなり、また、成型工程も簡潔になるためコスト面でも有利である。
【００１５】
さらに本発明は、ゴルフボールホルダーが樹脂製又は木製であることも好ましい。樹脂製又は木製であれば、ほどよい硬度と弾性を両立し、スムーズに押し入れ／取り出しができるとともに耐久性にも優れる。
【００１６】
さらに本発明は、前記の構成を有するゴルフボールホルダーが２つ連続して互いに逆向きに設けられている、ボールを２個収容できるゴルフボールホルダーであることも好ましい。
互いに逆向きとは、２つのホルダーに収容されるボールを、それぞれ１８０°反対の方向から出し入れできることを意味する。従来の複数個を収容するゴルフボールホルダーはいずれも、１方向のみからボールを出し入れするものであったところ、本発明のゴルフボールホルダーは異なる方向から（両面から）ボールを出し入れすることができるので、ボールの出し入れをより素早く、簡単に行うことができる。
【発明の効果】
【００１７】
本発明のゴルフボールホルダーによれば、ゴルフボールをより確実に保持し、携帯することが可能であり、ボールが脱落せず、かつ、片手で出し入れすることができる。また、２連のボールホルダーでは２方向からボールを出し入れすることも可能であり、より素早く簡単にボールを出し入れすることができる。
【図面の簡単な説明】
【００１８】
【図１】本発明の実施例であるゴルフボールホルダー（２連）の斜視図である。（Ａ）は前面、（Ｂ）は背面から見た図である。
【図２】図１のゴルフボールホルダーの横面図である。
【図３】図１のゴルフボールホルダーにボールを収容した状態の概要断面図である。
【発明を実施するための形態】
【００１９】
以下、図面を参照しながら本発明の実施の形態について説明するが、図示された実施態様は本願発明の一例であって、本願発明はこれに制限されるものではない。
図１はゴルフボールを２個収容できるゴルフボールホルダーである。（Ａ）は前面から見た斜視図、（Ｂ）は背面から見た斜視図である。
【００２０】
ゴルフボールホルダーは２つのボール収容部１と係止片２とを備えている。ボール収容部１は、前面側及び背面側のそれぞれに開口１ａ、１ｂを有している。開口１ａの周縁には係止片２が突設されている。ボールの出し入れは開口１ａから行うため、開口１ａはゴルフボールの直径と略同一の円ないし楕円状の開口である。開口１ａの係止片２と対向する位置には、ガイド４が形成されている。
一方、開口１ｂはボールが抜け落ちないよう、ゴルフボールの直径よりも小さな径の円ないし楕円状の開口である。ボール収容部１の内周面１ｃはゴルフボールの直径に合わせた略球面に形成されている。
【００２１】
係止片２は、開口１ａの一端から外方に突出した三角形の板状部分である。係止片２はゴルフボールの脱落を抑止し、繰り返し使用に耐える耐久性を有する限りにおいてその形状は特に制限されず、三角形以外にも四角形、半円形等の任意の形状にできる。また係止片２の板厚も特に制限されないが、例えば、ポリプロピレン樹脂の場合、１．５〜５ｍｍ程度、好ましくは２〜４ｍｍ程度にできる。図１の例では係止片２の全体は一定の厚みであるが、係止片は一定の厚みでなくてもよく、例えば根元付近に厚みをもたせて、先端付近を薄くすることも可能である。
【００２２】
ボール収容部１の内周面１ｃ及び係止片２の内側（ボールと接する側）には、小突起３が設けられている。図１の場合、内周面１ｃと係止片２にそれぞれ１箇所の小突起３が設けられている。小突起３はゴルフボール表面のディンプルと緩く組み合う大きさであればよく、例えば、突起の高さを０．２〜１．２ｍｍ程度（好ましくは０．３〜１．０ｍｍ程度）、突起の直径を２〜６ｍｍ程度（好ましくは２．５〜５ｍｍ程度）とすることができるが、これらの範囲に制限されない。図１の場合、２箇所の小突起３はゴルフボールの直径方向に互いに対向して設けられているが、小突起の数は２箇所に限られず、１箇所、３箇所、４箇所、又は５〜２０箇所程度とすることもできる。小突起は、ゴルフボールの外周に対して対称に配置されることが好ましい。
【００２３】
図１の実施例では、２つのボール収容部１が互いに１８０°逆向きに形成されている。すなわち、一方のボール収容部は前面側から、他方のボール収容部は背面側から、それぞれボールを出し入れできる。２つのボール収容部は原則的に同じ形状であり配置のみが異なっている。
【００２４】
図１のゴルフボールホルダー全体の外形は、真ん中にくびれのある楕円形である。図１の例ではくびれの近傍には窪み５が形成されている。窪み５はより小さくてもよく、無くてもよい。また、ゴルフボールホルダーの一方の端にはクリップ取り付け部６が形成されているが、当然この形状や大きさは任意である。
【００２５】
図２は、図１のゴルフボールホルダーの横面図である。クリップ取り付け部６を除いたゴルフボールホルダーの全体は、中心線７の中心Ｃを対称の中心とする点対称構造である。ボール収容部１は開口１ｂを切り欠きとする略半球状（半カップ状）に形成されている。係止片２はボール収容部１から外方に突出しており、その先端近傍に小突起３が設けられている。中心線７に対する係止片２の長さ及び角度は、ボールを適切に係止できる限り特に制限されないが、例えば長さＬは１３〜２３ｍｍ、好ましくは１５〜２０ｍｍとすることができ、中心線７に対する角度は３０〜４０°、好ましくは３７〜４０°とすることができる。
【００２６】
本発明のゴルフボールホルダーは全体が一体的に形成された一部材からなることが好ましい。図１、２の例ではポリプロピレン樹脂製の一体成型品であるが、材質は適度な弾性と強度を有する限り特に限定されず、ポリプロピレン樹脂の他にも、ポリウレタン樹脂、ポリカーボネート樹脂、ウレタン樹脂、ポリエステル樹脂等を用いることができ、木製であってもよい。
【００２７】
本発明の別の実施例として、２つのボール収容部を同じ向きに並列して配置してもよく、ボール収容部を３つ以上としてもよく、横向きに２つのボールを収容する形態としてもよく、特に制限されない。また、小突起でゴルフボールのディンプルと組み合うという特徴を有する限りにおいて、ボール収容部や係止片の形状は任意であり、デザインや強度、耐久性等の観点から様々に変更できる。
【００２８】
本発明のゴルフボールホルダーは、別の部品と組み合わせて使用することも好ましい。例えば、クリップ取り付け部に任意のクリップやストラップを付けてもよい。また、半球状のラインマーカーと組み合わせた物品とすれば、ボールを保持して固定しながらボールにラインを記入できるので便利である。
【００２９】
本発明のゴルフボールホルダーは公知の製造方法によって製造することができ、例えば、射出成形、押出成形、ブロー成形、熱成形等を用いることができる。これらのうちでも射出成形によれば高品質の成形物が得られ、またコストや製作時間の点からも好ましい。
【００３０】
図３はゴルフボールを収容した状態の概要断面図を示している。点線で示したゴルフボールｂはボール収容部１と係止片２の間に挟持されており、特に、小突起３とゴルフボール表面のディンプルが組み合って係止されている。このためボールの動きが制限され、ボールの脱落が防止される。
【００３１】
ボールを取り出す時には、係止片と反対側の開口に露出しているボールに指を当てて押し出すだけでよい。この時に、ボール全体を握るように手を当てて押し出すと、押し出されたボールを確実にキャッチすることができる。
また、ボールを押し入れる時には、ボールとゴルフボールホルダーを一緒に手で握るようにするだけで、ボールはガイド４に導かれてボール収容部１に確実に収まる。すなわち本発明のゴルフボールホルダーは、片手でボールを落とすことなく確実に出し入れすることができる。
【符号の説明】
【００３２】
１  ボール収容部
１ａ、１ｂ  ボール収容部の開口
２  係止片
３  小突起
４  ガイド
５  窪み
６  クリップ取り付け部
７  中心線
【図２】
2015009043.tif 000003
【図３】
2015009043.tif 000004
【図１】
2015009043.tif 000005